(57)【要約】【課題】プラスチック製抜け止めの形状を種々選択することができて、その抜け止めとプラスチック製コードとの結合強度を大きくし、更に加工精度を高く、加工時間を短くして生産性に優れた製品にする。【解決手段】プラスチック製抜け止め２をレーザービーム溶接によりプラスチック製コード３の一端部付近、例えば一端面に固着して一体化する。その際、プラスチック製抜け止め２とプラスチック製コード３とに同種又は異種のプラスチック材を用いる。【選択図】        図１
2007135418.tif 000002
【特許請求の範囲】
【請求項１】
プラスチック製抜け止めをレーザービーム溶接によりプラスチック製コードの一端付近に固着して一体化することを特徴とする刈払用プラスチック製抜け止め付きコード。
【請求項２】
プラスチック製抜け止めをレーザービーム溶接によりプラスチック製コードの一端面に固着して一体化することを特徴とする刈払用プラスチック製抜け止め付きコード。
【発明の詳細な説明】
【技術分野】
【０００１】
本発明は草、幼木等を刈り払いする機械に装着して用いる刈払用プラスチック製コードに関する。
【背景技術】
【０００２】
従来、草、木等の刈り払い用の機械として、金属製丸刃、プラスチック製コード等を装着した刈払機を使用している。この金属製丸刃は金属円板の外周面に多数の刃を設けているので、切断力が大きく、草の太い茎、木の細い幹等の切断に適する。しかし、建物や木の幹、石等の障害物の近くを刈る際刈り等には適さず、又刃に触れて足等を損傷することがあって、作業時の危険性が大きい。その点、プラスチック製コードは切断力は小さいが、際刈りに適し、触れても足等を傷付けることもなく、未熟練者の刈払作業にも適している。
【０００３】
このようなプラスチック製コードには、長いナイロンコードをローターの内部に巻回しておき、適宜引き出して使用するものと、金属製抜け止めに設けた嵌合用穴内に、短いナイロンコードの一端部を挿入し、かしめて固着した金属製抜け止め付きナイロンコードをローターに設けた装着用の貫通穴内に通して使用するものとがある。そして、刈払機に取り付けて使用する際、前者のナイロンコードより後者のナイロンコードの方が安全で取り扱い易い。しかし、金属製抜け止め付きナイロンコードを用いると、金属製抜け止めの固着力のばらつきが大きいため、刈り払い中にコードが障害物に当って大きな衝撃力を受けた時等に、金属製抜け止めがコードに強固に固着されていないと分離して、草中等に飛散することがある。すると、金属製抜け止めは小さいので簡単に見つけて取り除くことができないで残る。それ故、新しい金属製抜け止め付きナイロンコードを装着して草刈りを続行し、或いは次回の草刈りや農作業をする際に、残った金属製抜け止めにナイロンコードや農具が当ると、それ等を傷付け易く、飛んだりする等して人体に危険を及ぼす虞もあって障害となる。
【０００４】
そこで、抜け止めとコードを共にナイロン製にして、使用中に抜け止めがコードから分離し、草中に放置されていても、草刈りを続行し、農作業をする際等に障害とならないものが提示された。
【特許文献１】特開２００２−３５４９２０
【発明の開示】
【発明が解決しようとする課題】
【０００５】
しかしながら、このような刈払用のナイロン製抜け止め付きコードは、ナイロンコードの一端部にナイロン系接着剤を塗布した後、その部分にナイロン製筒状体を被せ、加熱圧着して、両者の重合部を固着して抜け止めを設けている。或いはナイロンコードの一端部にナイロン製筒状体を射出成形により一体的に形成して抜け止めを設けている。それ故、抜け止めを設けるに際し、両者共にナイロン製筒状体を必要とするため、抜け止めの形状選択の自由度が小さく、ナイロンコードの一端部に対し、前者では接着剤の塗布、加熱圧着等の工程を必要とし、後者では溶融プラスチックの射出から固化するまでの射出成形工程を必要とするので、抜け止めを設けるのに時間がかかり、生産性が低くなる。なお、ナイロンコードには断面形状が円形、三角形、四角形、五角形、星形等のものがあり、更に角のあるコードをねじったねじりコード、複数のコードをより合せたより合せコード等がある。
【０００６】
本発明はこのような従来の問題点に着目してなされたものであり、プラスチック製抜け止め形状を種々選択することができて、その抜け止めとプラスチック製コードとの結合強度が大きく、更に加工精度が高く、加工時間が短くて生産性に優れた刈払用プラスチック製抜け止め付きコードを提供することを目的とする。
【課題を解決するための手段】
【０００７】
上記目的を達成するために、本発明による刈払用プラスチック製抜け止め付きコードは、プラスチック製抜け止めをレーザービーム溶接によりプラスチック製コードの一端付近に固着して一体化する。
又、プラスチック製抜け止めをレーザービーム溶接によりプラスチック製コードの一端面に固着して一体化する。
【発明の効果】
【０００８】
本発明の効果として、請求項１記載の発明によれば、プラスチック製抜け止めをプラスチック製コードの一端付近に密接触させた後、その合せ目付近にレーザービームを照射し、その合せ目付近を加熱、溶融し、溶接することにより、抜け止めをコードに簡単に固着して一体化できる。このレーザービーム溶接は他の溶接法と比べて次の特徴を有する。(1)
高出力密度ビームにより、ビーム径を約０．１〜数ｍｍに絞って、キーホール状の溶融池を形成し、深溶かし込み溶接ができる。(2)瞬時に伝送、透過が可能な熱源であり、光分岐により多数箇所の同時溶接も可能である。(3)非接触の溶接法であって、狭あいな部分でもレーザービームを送って溶接が可能である。又、高速で動いている加工物の溶接も可能である。(4)精密な溶接に適した溶接法であって、数１０〜１００μｍのビームスポットにもできるので、溶接時の熱入力量が極めて少なくてすみ、溶接変形や歪みが従来のアーク溶接に比べて数分の１と少ない。それ故、プラスチック製抜け止めの形状を種々選択することができて、その抜け止めとプラスチック製コードとの溶着強度が大きく、更に加工精度が高く、加工時間が短くて生産性に優れた製品を得ることができる。
【０００９】
又、請求項２記載の発明によれば、プラスチック製コードの一端面が広く平らであって、コードの長手方向とほぼ垂直な面となっているので、その一端面をプラスチック製抜け止めの一面との接触箇所にすると、種々の形状を有する抜け止めをコードの長手方向に配置して、そのコードの断面形状が種々異なり、或いはねじりコードやより合せコードであっても、抜け止めの接触面とコードの一端面とを良く密接触できて、溶接により抜け止めをコードに強固に固着して一体化できる。
【発明を実施するための最良の形態】
【００１０】
以下、添付の図１〜７を参照して、本発明の実施の最良形態を説明する。
図１は本発明を適用した刈払用プラスチック製抜け止め付きコードの正面図である。このプラスチック製抜け止め付きコード１の製作に際し、先ずプラスチック製抜け止め２とプラスチック製コード３とを、個別にプラスチック成形品として夫々用意する。しかも、刈り払いの用途に応じてプラスチック製コード３の断面形状、構造、長さ等を選択し、更にプラスチック製抜け止め２の形状等を選択する。
【００１１】
例えばプラスチック製コード３として、長さが２４ｃｍで、直径が３ｍｍの円形断面を有するナイロンコードを用い、更にプラスチック製抜け止め２として、直径が７ｍｍ、高さが３ｍｍの円板状のナイロン抜け止めを用いる。そして、レーザービーム溶接法に透過溶接法を採用する場合、ナイロン抜け止め２を透明にし、ナイロンコード３を不透明にするため、ナイロンコード３には顔料等を混入させ、或いは表面にペンキ等を塗っておく。
【００１２】
溶接時、図２に示すようにナイロンコード３を垂直に立てて固定し、その水平な上端面にナイロン抜け止め２を乗せて、その抜け止め２とコード３の中心線を一致させ、更に抜け止め２を下方に押して固定し、抜け止め２の下面とコード３の上端面とを密接触する。その後、レーザービーム溶接機例えばＹＡＧレーザービーム溶接機から発せられるレーザービーム４を絞って、上方から矢印方向に抜け止め２とコード３の中心線に一致させて照射する。
【００１３】
すると、レーザービーム４は透明な抜け止め２を透過し、コード３の上端面の中心付近に達するが、コード３は不透明であるため、その上端面の中心付近に吸収される。そして、コード３の上端面の中心付近が発熱し、その熱が抜け止め２の下面の中心付近に伝導し、両接触面の中心付近が溶融して結合する。このようにして、レーザービーム溶接を行うと、抜け止め２とコード３との溶着強度が大きく、更に加工精度が高く、加工時間が短くて生産性に優れた刈払用プラスチック製抜け止め付きコード１を製作できる。
【００１４】
使用時、刈払機の動力伝達用シャフトの先端に取り付けられている金属製丸刃を外し、その丸刃を止めるボルト、ナットをそのまま用いて円盤状のローターを装着する。このローター５には図３に示すようなコード装着用貫通穴６が、上面の中央部付近から外周面の下部を通して設けられているので、そのコード装着穴６にプラスチック製抜け止め付きコード１を上方から差し込んで側方に引き出す。すると、プラスチック製抜け止め付きコード１の抜け止め２をローター５の上面付近に設け、抜け止め２の径より僅かに大きな径にした設置穴７内に一部収容する等して、ローター５に装着できる。なお、コード装着穴６の抜け止め設置穴７に続く入口側はコード３の径より僅かに大きい径にし、出口側ではコード３の径より外周面に沿って数倍長く伸びる長方形状の口８にする。
【００１５】
このようにして、図４に示すようにローター５の相対する位置にプラスチック製抜け止め付きコード１を夫々装着した後、シャフト９を通じてローター５に動力を伝達する。すると、ローター５が回転して、両コード３に遠心力が作用し、外方に伸びて回転を始めるので、草、幼木等の刈り払いを行える。そして、刈り払い中にプラスチック製抜け止め２が仮にプラスチック製コード３から分離して、草中等に飛散し、発見できなくても、抜け止め２をプラスチック製にしておくと、金属と比べて柔らかで劣化も速いので、その後の草刈りや農作業の際にコード３や農具が残った抜け止め２に当っても傷つき難く、飛んだりしても人体に危険を及ぼす虞も小さくて障害とならない。なお、使用中にコード３が短くなって、新しいものと取り替える場合、ローター５から側方に突出するコード３を持って抜け止め２の側に押すと、抜け止め２が設置穴７から簡単に抜けるので、取り外し易い。
【００１６】
上記実施の形態ではプラスチック製抜け止め２をレーザービーム溶接によりプラスチック製コード３の一端面に固着して一体化する場合について説明したが、図５に示すプラスチック製抜け止めコード１０のように、抜け止め１１の下面中央に嵌合用凹所１２を設け、そこにコード１３の上端部を嵌合して、レーザービーム溶接により１箇所又は複数箇所固着して一体化し、又図６に示すプラスチック製抜け止めコード１４のように、コード１５の上端部を一部１６切り欠き、そこに抜け止め１７の一部を嵌め合せ、レーザービーム溶接により１箇所又は複数箇所固着して一体化し、又図７に示すプラスチック製抜け止めコード１８のように、抜け止め１９をコード２０の上端部の一部側面にレーザービーム溶接により１箇所又は複数箇所固着して一体化することができる。
【００１７】
なお、プラスチック製抜け止めには円板状の板体以外、三角形以上の角状板体、円錐台、角錐台等の錐体、角柱、円柱等の柱状体等、種々の形状を有するものを用途に応じて適宜使用することができる。
【００１８】
又、プラスチック製抜け止め付きコードのプラスチック製抜け止めとプラスチック製コードの材質は、同種のものだけでなく、当然異種のものでも、プラスチック製抜け止めをレーザービーム溶接によりプラスチック製コードに固着して一体化できるものは使用することができる。
【図面の簡単な説明】
【００１９】
【図１】本発明を適用した刈払用プラスチック製抜け止め付きコードの正面図である。
【図２】同プラスチック製抜け止め付きコードのレーザービーム照射による溶接工程を示す要部の正面図である。
【図３】同プラスチック製抜け止め付きコードをローターに装着する過程を示す要部の斜視図である。
【図４】同プラスチック製抜け止め付きコードを２本、ローターに装着した状態を示す要部の斜視図である。
【００２０】
【図５】同プラスチック製抜け止め付きコードの他の１実施形態を示す要部の正面図である。
【図６】同プラスチック製抜け止め付きコードの他の１実施形態を示す要部の正面図である。
【図７】同プラスチック製抜け止め付きコードの他の１実施形態を示す要部の正面図である。
【符号の説明】
【００２１】
１、１０、１４、１８…プラスチック製抜け止め付きコード  ２、１１、１７、１９…プラスチック製抜け止め  ３、１３、１５、２０…プラスチック製コード  ４…レーザービーム  ５…ローター  ６…コード装着穴  ７…抜け止め設置穴  ８…長方形出口  ９…シャフト  １２…嵌合用凹所  １６…切り欠き箇所
【図１】
2007135418.tif 000003
【図２】
2007135418.tif 000004
【図３】
2007135418.tif 000005
【図４】
2007135418.tif 000006
【図５】
2007135418.tif 000007
【図６】
2007135418.tif 000008
【図７】
2007135418.tif 000009